(57)【要約】【課題】  フローリング上の家具等の移動や大掛かりな大工工事を不要として、人手と施工期間とを省略することで施工コストを大幅に低減でき、しかも施工期間中も普段同様に施工場所を利用することができる画期的な床構造の変更方法を提供するものである。【解決手段】  フローリング材３が配設された床構造を暖房機能を具備した床構造に変更する床構造の変更方法であって、所定区域のフローリング材３の裏面に、該フローリング材３を剥がすことなく、下方から発熱体４を配設すると共に、該発熱体４に熱源５を連結する床構造の変更方法である。【選択図】      図１
2006283410.tif 000002
【特許請求の範囲】
【請求項１】
フローリング材が配設された床構造を暖房機能を具備した床構造に変更する床構造の変更方法であって、所定区域のフローリング材の裏面に、該フローリング材を剥がすことなく、下方から発熱体を配設すると共に、該発熱体に熱源を連結することを特徴とする床構造の変更方法。
【請求項２】
請求項１記載の床構造の変更方法において、前記床構造は、大引や根太受けなどの第一水平材の上に所定間隔で複数の第二水平材が架設され、この第二水平材の上にフローリング材が配設された床構造であり、更に、前記第二水平材間の区域が複数集合して前記所定区域となることを特徴とする床構造の変更方法。
【請求項３】
請求項２記載の床構造の変更方法において、前記第二水平材間の各区域に配設される発熱体同志は連設されていることを特徴とする床構造の変更方法。
【請求項４】
請求項２，３いずれか１項記載の床構造の変更方法において、前記発熱体は、該発熱体が嵌合される凹溝が形成された伝熱板に配設され、更にこの発熱体は前記伝熱板と前記フローリング材の裏面とで挟持されることを特徴とする床構造の変更方法。
【請求項５】
請求項２〜４いずれか１項に記載の床構造の変更方法において、前記伝熱板は、適度な弾性を有し、更に、前記第二水平材間の区域幅より幅広であり、更に、両縁部が前記フローリング材と第二水平材との間に嵌入されるものであることを特徴とする床構造の変更方法。
【請求項６】
請求項２〜５いずれか１項に記載の床構造の変更方法において、前記伝熱板は前記発熱体の長さ方向に伸縮自在な構成としたことを特徴とする床構造の変更方法。
【請求項７】
請求項２〜６いずれか１項に記載の床構造の変更方法において、前記伝熱板の下方に断熱材が設けられることを特徴とする床構造の変更方法。
【請求項８】
請求項１〜７いずれか１項に記載の床構造の変更方法において、前記発熱体は熱源流体が流通する発熱管体であり、前記熱源は熱源流体供給部であることを特徴とする床構造の変更方法。
【請求項９】
請求項１〜７いずれか１項に記載の床構造の変更方法において、前記発熱体は通電により発熱する発熱体であり、前記熱源は電気供給装置であることを特徴とする床構造の変更方法。
【発明の詳細な説明】
【技術分野】
【０００１】
本発明は、既存の床構造を暖房機能を具備した床構造に変更する床構造の変更方法に関するものである。
【背景技術】
【０００２】
近年、居住快適性の向上のため床暖房装置を設置する住まいやオフィス等が増加している。
【０００３】
図６，７は、従来の床暖房装置の一例であり、例えば土台12，大引１の上部に配設される根太２の上に、熱源パイプ４の径を考慮した間隙を介在せしめた合板13を所定間隔を置いて並設し、この合板13同志の間隙に加熱流体が通過する熱源パイプ４を配設し、この合板13及び熱源パイプ４の上に適宜なフローリング材３を積層せしめたものである。尚、本実施例と同一部分には同一符号を付した。
【発明の開示】
【発明が解決しようとする課題】
【０００４】
ところで、上記図６，７の床暖房装置は、新築用としては適するが、既存の住まいやオフィス等の床構造を上記図６，７の床暖房装置を設けた床構造に変更しようとする場合には種々の問題が生じてしまう。
【０００５】
即ち、この従来の床暖房装置を既存の住まいやオフィス等に施工する場合、先ず、フローリング材３の上部に配される全ての家具を移動させ、続いて、フローリング材３を剥がし、続いて、根太２を取り替え、続いて、この新たな根太２の上に合板13を載置し、続いて、この合板13の間に熱源パイプ４を配設し、続いて、この合板13の上に新たにフローリング材３を敷設して、前述した家具を戻すことになる。尚、上記工程で根太２を取り替えるのは、該根太２の上に合板13を載置することで施工前よりも床面が上昇してしまうのを防止するためであり、高さの低い根太２に取り替えている（場合によっては土台12や大引１にも手を加える場合もある。）。
【０００６】
従って、既存の住まいやオフィス等の床構造を上記図６，７の床暖房装置を設けた床構造に変更しようとする場合には、フローリング材３の上部に配される全ての家具を移動させる必要があり、また、フローリング材３を剥がして合板13と熱源パイプ４を配設したり、根太２等を取り替えたりしなければならず、人手や時間を掛けた大掛かりな大工工事が必要となり、更に、工事期間が長く、工事中はその施工場所は使えず、施工コストが高く、厄介であった。
【０００７】
本願発明は、上述の問題点に鑑みこれを解決するもので、フローリング上の家具等の移動や大掛かりな大工工事を不要として、人手と施工期間とを省略することで施工コストを大幅に低減でき、しかも施工期間中も普段同様に施工場所を利用することができる画期的な床構造の変更方法を提供するものである。
【課題を解決するための手段】
【０００８】
添付図面を参照して本発明の要旨を説明する。
【０００９】
フローリング材３が配設された床構造を暖房機能を具備した床構造に変更する床構造の変更方法であって、所定区域のフローリング材３の裏面に、該フローリング材３を剥がすことなく、下方から発熱体４を配設すると共に、該発熱体４に熱源５を連結することを特徴とする床構造の変更方法に係るものである。
【００１０】
また、請求項１記載の床構造の変更方法において、前記床構造は、大引や根太受けなどの第一水平材１の上に所定間隔で複数の第二水平材２が架設され、この第二水平材２の上にフローリング材３が配設された床構造であり、更に、前記第二水平材２間の区域が複数集合して前記所定区域となることを特徴とする床構造の変更方法に係るものである。
【００１１】
また、請求項２記載の床構造の変更方法において、前記第二水平材２間の各区域に配設される発熱体４同志は連設されていることを特徴とする床構造の変更方法に係るものである。
【００１２】
また、請求項２，３いずれか１項記載の床構造の変更方法において、前記発熱体４は、該発熱体４が嵌合される凹溝７が形成された伝熱板６に配設され、更にこの発熱体４は前記伝熱板６と前記フローリング材３の裏面とで挟持されることを特徴とする床構造の変更方法に係るものである。
【００１３】
また、請求項２〜４いずれか１項に記載の床構造の変更方法において、前記伝熱板６は、適度な弾性を有し、更に、前記第二水平材２間の区域幅より幅広であり、更に、両縁部が前記フローリング材３と第二水平材２との間に嵌入されるものであることを特徴とする床構造の変更方法に係るものである。
【００１４】
また、請求項２〜５いずれか１項に記載の床構造の変更方法において、前記伝熱板６は前記発熱体４の長さ方向に伸縮自在な構成としたことを特徴とする床構造の変更方法に係るものである。
【００１５】
また、請求項２〜６いずれか１項に記載の床構造の変更方法において、前記伝熱板６の下方に断熱材11が設けられることを特徴とする床構造の変更方法に係るものである。
【００１６】
また、請求項１〜７いずれか１項に記載の床構造の変更方法において、前記発熱体４は熱源流体が流通する発熱管体であり、前記熱源５は熱源流体供給部５であることを特徴とする床構造の変更方法に係るものである。
【００１７】
また、請求項１〜７いずれか１項に記載の床構造の変更方法において、前記発熱体４は通電により発熱する発熱体４であり、前記熱源５は電気供給装置５であることを特徴とする床構造の変更方法に係るものである。
【発明の効果】
【００１８】
本発明は上述のように構成したから、前述した従来から提案される床暖房装置と異なり、例えばフローリング上の家具等の移動や大掛かりな大工工事が不要となるから、人手と施工期間を省略でき、よって施工コストを大幅に低減できる上、施工期間中も普段同様に施工場所を利用することができる画期的な床構造の変更方法となる。
【発明を実施するための最良の形態】
【００１９】
フローリング材３が配設された床構造を暖房機能を具備した床構造に変更するに際し、例えば、フローリング材３の裏面に位置する空間（所謂床下）に入り込み、所定区域のフローリング材３の裏面に、該フローリング材３を剥がすことなく、発熱体４を配設し、該発熱体４に熱源５を連結する。
【００２０】
従って、前述した従来から提案される床暖房装置と異なり、床下から施工することになるから、フローリング材３を剥がさずとも、簡易且つ確実に暖房機能を具備した床構造が得られることになる。
【実施例１】
【００２１】
本発明の具体的な実施例について図１〜図３に基づいて説明する。
【００２２】
本実施例は、大引や根太受けなどの第一水平材１の上に所定間隔で第二水平材２が架設され、この第二水平材２の上にフローリング材３が配設された床構造を、暖房機能を具備した床構造に変更する床構造の変更方法である。
【００２３】
尚、本実施例は、第一水平材１を土台の上に周設される大引とし、建物の一階の床構造を暖房機能を具備した床構造に変更する場合で説明しているが、例えば第一水平材１を根太受けや根太掛けとし、建物の２階より上の階における床構造を暖房機能を具備した床構造に変更する場合でも良く、同様の作用効果を発揮する。
【００２４】
本実施例では、床暖房装置として、熱源流体供給装置５から供給される熱源流体（湯）をフローリング材３の裏面に配設される発熱体４に通過させて、該発熱体４から放熱することでフローリング材３を暖める構造の床暖房装置を採用している。
【００２５】
発熱体４は、図１に図示したように可撓性を有する１本ものの発熱管体を採用する。具体的には、架橋ポリエチレンパイプを採用している。尚、発熱体４は１本もののタイプに限らず、短い発熱体４同志を接続する接続タイプでも良い。また、この発熱体４は、伝熱板６上に設けられ、この伝熱板６がフローリング材３の裏面に配設される。
【００２６】
伝熱板６は、図１，２に図示したような薄板状の金属板材である。
【００２７】
伝熱板６は、具体的には、アルミ板を採用している。尚、伝熱板６は、目的に合わせてアルミ板以外の、例えば、錫板、銅板、ステンレス鋼板なども適宜採用できる。
【００２８】
また、伝熱板６には凹溝７が設けられている。
【００２９】
この凹溝７は、逆Ω字状の凹溝７であり、発熱体４を配設するためのガイドとなるものである。この凹溝７に発熱体４を配した状態で伝熱板６をフローリング材３の裏面に配することにより、発熱体４はフローリング材３の裏面に添設されることになる。
【００３０】
また、この凹溝７は、発熱体４に熱源流体（湯）が通過した際に生じる、該発熱体４の径の膨張を考慮した凹み度合いに設定されている。従って、この凹溝７に配設された発熱体４が膨張しても、フローリング材３の裏面と伝熱板６の当接状態が保たれる。
【００３１】
尚、この凹溝７は現場で伝熱板６を手で押圧して形成しても良いし、予め工場等でプレス加工により形成しても良い。
【００３２】
また、伝熱板６は、適度な弾性を有し、前記第二水平材２間の区域幅より幅広に設けられている。
【００３３】
本実施例の伝熱板６は、第二水平材２の長さ方向に端部を重ねて複数枚スライド可能に連設したものであるが、一枚ものの伝熱板６を採用しても良い。
【００３４】
伝熱板６はフローリング材３の下側に持ち込まれるものであるため、伝熱板６が長すぎると作業者がフローリング材３の下側に持ち込み難く、また、フローリング材３の下側における作業性が低下する場合がある為、長さ方向に複数枚連設した構成が望ましい。
【００３５】
図中符号10は添木であり、フローリング材３に打ち込まれる釘止めにより伝熱板６の裏面に固定されている。従って、伝熱板６がフローリング材３の裏面に確実に固定される。
【００３６】
また、図中符号11は断熱材であり、この断熱材も同様、フローリング材３に打ち込まれる釘止めにより伝熱板６の下側に固定されている。従って、発熱体４から伝熱板６の下側、即ちフローリング材３とは反対側への無駄な放熱が防止される。
【００３７】
次に、本実施例の伝熱板６及び発熱体４の施工方法について説明する。
【００３８】
本実施例は、フローリング材３を剥がさずに、床下にて施工を行う。例えば、床下収納庫が設けられている場合、フローリング材３の一部に設けられた床下収納庫の扉を開け、収納部から床下に入って施工を行ったり、フローリング材３が敷設された部屋に隣接する畳の部屋の畳及び床板を剥がして当該床暖房機能を具備せしめたい部屋の床下に入って施工を行う。
【００３９】
床下に入ったら先ず、伝熱板６の両縁部を前記フローリング材３と第二水平材２との間に嵌合する。
【００４０】
伝熱板６は、凹溝７の溝幅を狭めたり、伝熱板６を略Ｕ字状に撓めることにより、幅方向に撓ませる。
【００４１】
尚、伝熱板６は、フローリング材３の下側で撓ませても良く、ロープ等で縛ってあらかじめ撓ませた状態のものをフローリング材３の下側に持ち込んで、このロープを切断することにより撓み状態を解除しても良い。
【００４２】
続いて、この伝熱板６の表面（凹溝７が設けられた面）を第二水平材２間の区域のフローリング材３の裏面に当接させ、この伝熱板６の撓みを解除すると、伝熱板６は上述したように、適度な弾性を有し、前記第二水平材２間の区域幅より幅広に設けられているから、伝熱板６の両縁部が前記フローリング材３と第二水平材２との間に嵌入し、伝熱板６がフローリング材３の裏面に添設状態で固定される。
【００４３】
同様の方法を前記第二水平材２間の全ての区域に施す。
【００４４】
続いて、図１に図示したように、一本ものの発熱体４を伝熱板６Ａの凹溝７の一開口端７ａから他開口端７ｂに向けて嵌挿し、第二水平材２ｂの下側をくぐらせるようにして蛇行状態に隣接する伝熱板６Ｂの凹溝７の一開口端７ｃから他開口端７ｄに向けて発熱体４を嵌挿してフローリング材３の裏面全面に発熱体４を蛇行配設する。
【００４５】
続いて、前記発熱体４と熱源流体供給部５を連結して発熱体４の内部に熱源流体（湯）を流通させる。
【００４６】
尚、フローリング材３の下側に持ち込み易いように短い伝熱板６とし、この短い伝熱板６を複数枚直列に配設することも考えられるが、このように複数枚直列に配設した伝熱板６同士には段差が生じ易く、よって、各伝熱板６を直列に配設した際に形成された凹溝７にズレが生じ、発熱体４を嵌挿する際に引っかかってスムーズに嵌挿できない問題があったり、凹溝７のズレによる間隙から無駄な放熱が起きて熱効率が低下しやすい。
【００４７】
そこで、伝熱板６を、複数枚（図３中においては２枚）重ねてスライドさせて伸縮できるような伝熱板６とすると、フローリング材３の下側にこの伝熱板６を持ち込み易く、施工を妨げることがなく、また、複数枚重ねてスライドさせた伝熱板６同士には段差の影響がなく（発熱体４の挿入方向が、段差が下がる方向のとき）、発熱体４の嵌挿がスムーズで、無駄な放熱の原因となる間隙も生じない。
【００４８】
本実施例は上述のように構成したから、フローリング材３を剥がさずともフローリング材３の裏面に発熱体４を配設できることとなり、フローリング上の家具等の移動や大掛かりな大工工事が不要となるから、人手と施工期間を省略でき、よって従来から提案される床暖房装置と比して施工コストがおよそ１／３に大幅に低減できる上、施工期間中も普段同様に施工場所を利用することができる画期的な床構造の変更方法となる。
【００４９】
また、本実施例は、前記フローリング材３の裏面とで発熱体４を挟持する伝熱板６としたから、極めて簡易且つ効率的に管体４をフローリング材３の裏面に配設できる床構造の変更方法となる。
【００５０】
また、本実施例は、伝熱板６に設ける凹溝７を、発熱体４に熱源流体（湯）が通過した際に生じる該発熱体４の径の膨張を考慮した凹み度合いに設定するから、この凹溝７に配設された発熱体４が膨張しても、フローリング材３の裏面と伝熱板６との当接状態を保つことができる。
【００５１】
また、本実施例は、適度な弾性を有し、前記第二水平材２間の区域幅より幅広に設けられた伝熱板６を撓ませて前記フローリング材３の下側においてこの伝熱板６の撓み状態を解除することで、この伝熱板６をフローリング材３の裏面に添設状態で固定する構成としたから、伝熱板６をフローリング材３の裏面に付設する場合の施工が極めて容易で、施工期間も極めて短期に行うことができ、よって、一層の施工コストの低減化を達成できる。
【００５２】
また、本実施例は、可撓性を有する１本ものの発熱管体を採用したから、複数の発熱管体を繋ぎ合せた際の熱源流体の漏れなどの心配がない床構造の変更方法となる。
【００５３】
また、本実施例は、伝熱板６を、複数枚スライドさせて伸縮できるような伝熱板６としたから、フローリング材３の下側にこの伝熱板６を持ち込み易く、施工を妨げることがなく、また、複数枚重ねてスライドさせた伝熱板６同士には段差の影響がなく発熱体４の嵌挿がスムーズで、無駄な放熱の原因となる間隙も生じない。
【実施例２】
【００５４】
本発明の具体的な実施例について図４，図５に基づいて説明する。
【００５５】
本実施例では、床暖房装置として、電気供給装置５から供給される電気をフローリング材３の裏面に配設される発熱体４に供給し、該発熱体４から放熱することでフローリング材３を暖める構造の床暖房装置を採用している。
【００５６】
発熱体４は、図５に図示したように可撓性を有する１本ものを採用する。具体的には、電熱線を採用している。尚、発熱体４は１本もののタイプに限らず、短い発熱体４同士を接続する接続タイプでも良い。
【００５７】
また、発熱体４として、本実施例以外に面状発熱体を採用しても良い。
【００５８】
本実施例の発熱体４は、第二水平材２間の幅より小さい幅の板状の伝熱板６（実施例１の伝熱板６と異なり、凹溝７が存しないもの）とフローリング材３の裏面との間に配設される。
【００５９】
具体的には、発熱体４は、フローリング材３を剥がすことなく、あらかじめフローリング材３の裏面の所定位置に仮止め状態で配設し、続いて、この発熱体４に伝熱板６を重ねて該発熱体４をフローリング材３の裏面に固定させる。
【００６０】
尚、フローリング材３と伝熱板６とは接着剤を用いたり、伝熱板６をフローリング材３に釘打ちしたりする。
【００６１】
また、本実施例の発熱体４は、実施例１の発熱体４とは異なり、径小であって且つ膨張することがないため、凹溝７は必要がない。
【００６２】
本実施例は伝熱板６を用いず、断熱材11をフローリング材３の裏面に設け、この断熱材11とフローリング材３とで発熱体４を挟持する構成である。
【００６３】
尚、断熱材11も、フローリング材３の裏面に接着剤により貼着しても良いし、釘止めしても良い。
【００６４】
本実施例は、上述のように構成したから、発熱体４などをフローリング材３の裏面に簡易且つ確実に配設できる。
【００６５】
また、本実施例は、発熱体４として通電により発熱する発熱体４を採用したから、通水する発熱管体に比し、施工作業が容易となると共に、メンテナンスが容易となる。
【００６６】
その余は実施例１と同様である。
【００６７】
尚、本発明は、実施例１，２に限られるものではなく、各構成要件の具体的構成は適宜設計し得るものである。
【図面の簡単な説明】
【００６８】
【図１】実施例１の平面図である。
【図２】実施例１の断面図である。
【図３】実施例１の伝熱板の斜視図である。
【図４】実施例２の平面図である。
【図５】実施例２の断面図である。。
【図６】従来例の平面図である。
【図７】従来例の断面図である。
【符号の説明】
【００６９】
１  第一水平材
２  第二水平材
３  フローリング材
４  発熱体
５  熱源，熱源流体供給部，電気供給装置
６  伝熱板
７  凹溝
11  断熱材
【図１】
2006283410.tif 000003
【図２】
2006283410.tif 000004
【図３】
2006283410.tif 000005
【図４】
2006283410.tif 000006
【図５】
2006283410.tif 000007
【図６】
2006283410.tif 000008
【図７】
2006283410.tif 000009